(57)【要約】【課題】遮断器の流体圧駆動装置を小型化するとともに、信頼性を向上させる。【解決手段】遮断器の流体圧駆動装置３は、接点２を開閉する流体圧シリンダ４と、この流体圧シリンダを開路動作させる開路用制御弁２０と、閉路動作させる閉路用制御弁４０と、これら制御弁の各々に設けられ各制御弁を駆動するソレノイド６０、８０とを有する。ソレノイドはプランジャ３２、５２を有する。開路動作時及び閉路動作時には、開路用制御弁と閉路用制御弁の動作開始時間を異ならせる。【選択図】  図１
2004247179.tif 000002
【特許請求の範囲】
【請求項１】
接点を開閉する流体圧シリンダと、この流体圧シリンダを開路動作させる開路用制御弁と閉路動作させる閉路用制御弁と、これら制御弁の各々に設けられ各制御弁を駆動する駆動部とを備えた遮断器の流体圧駆動装置において、前記駆動部と前記制御弁とを同一軸上に配置したことを特徴とする遮断器の流体圧駆動装置。
【請求項２】
前記制御弁はポペット弁であり、前記駆動部は直動型のソレノイドであることを特徴とする請求項１に記載の遮断器の流体圧駆動装置。
【請求項３】
前記ソレノイドが有するプランジャと前記ポペット弁が有する弁体とは係合部を有し、この係合部間の長さは、弁体側の方がプランジャ側よりも長いことを特徴とする請求項２に記載の遮断器の流体圧駆動装置。
【請求項４】
接点を開閉する流体圧シリンダと、この流体圧シリンダを開路動作させる開路用制御弁と、閉路動作させる閉路用制御弁と、これら制御弁の各々に設けられ各制御弁を駆動するソレノイドとを備えた遮断器の流体圧駆動装置において、前記ソレノイドはプランジャを有し、開路動作時及び閉路動作時には前記開路用制御弁と前記閉路用制御弁の動作開始時間を異ならせたことを特徴とする遮断器の流体圧駆動装置。
【請求項５】
前記制御弁に前記プランジャが移動可能な貫通穴を形成し、このプランジャの先端に突起部を形成し、この突起部を制御弁に係合させたことを特徴とする請求項４に記載の遮断器の流体圧駆動装置。
【請求項６】
開路用制御弁を駆動するソレノイドと閉路用制御弁を駆動するソレノイドの両プランジャを同軸上に配置し、これらプランジャの前記突起部とは反対側で隣接させたことを特徴とする請求項５に記載の遮断器の流体圧駆動装置。
【請求項７】
前記各制御弁にプランジャが移動可能な貫通穴を形成するとともに各プランジャに突起部を形成し、この突起部を制御弁に係合させ、２個のプランジャを同軸上に配置し、両プランジャの突起部間を連結する連結棒を設けたことを特徴とする請求項４に記載の遮断器の流体圧駆動装置。
【請求項８】
前記制御弁はポペット弁であることを特徴とする請求項４に記載の遮断器の流体圧駆動装置。
【請求項９】
前記開路用制御弁が閉じた状態では、開路用制御弁とこの開路用制御弁に係合するプランジャの突起部を接触させ、この開路用制御弁に係合するプランジャと閉路用制御弁が接触した状態では、閉路用制御弁とこの閉路用制御弁に係合するプランジャの突起部との間に隙間を形成させたことを特徴とする請求項４に記載の遮断器の流体圧駆動装置。
【請求項１０】
前記閉路用制御弁が閉じた状態では、閉路用制御弁とこの閉路用制御弁に係合するプランジャの突起部を接触させ、閉路用制御弁に係合するプランジャと閉路用制御弁が接触した状態では、開路用制御弁と開路用制御弁に係合するプランジャの突起部との間に隙間を形成させたことを特徴とする請求項４に記載の遮断器の流体圧駆動装置。
【発明の詳細な説明】
【０００１】
【発明の属する技術分野】
本発明は遮断器に係り、特に電力用遮断器に好適な遮断器の流体圧駆動装置に関する。
【０００２】
【従来の技術】
従来の遮断器用流体圧駆動装置の例が、特許文献１に記載されている。この公報に記載の駆動装置は、接触子の開閉を繰り返すポンピング動作を防止するために、駆動装置が接触子を開閉する接触子開閉用ピストンとこれを動作させる制御弁機構とを有する。制御弁機構は切換弁と切換制御弁とを有する。切換弁は接触子開閉用ピストンのシリンダ操作室への圧力を切換える。切換制御弁は閉路用切換制御弁と回路用切換制御弁とを有する。逆止弁を閉じるアンチポンピングピストンが設けられており、閉路用切換制御弁の２次側と逆止弁の１次側との間から分岐した配管を、アンチポンピングピストン操作室に接続している。
【特許文献１】
特開２０００−９０７８４号
【０００３】
【発明が解決しようとする課題】
上記特許文献１に記載の流体圧駆動装置では、ソレノイドがパイロット弁を駆動し、パイロット弁が切換制御弁を駆動している。そして、切換制御弁が開路用主弁と閉路用主弁とを動作させている。その結果、接触子を駆動するピストンを動かすために、多数の弁を必要とし装置が大型化するとともに部品点数が多くなる。また、切換制御弁が動作中に、供給側から低圧の戻り側に直接流体が流れており圧力変動の一因となりうるので、その低減が強く望まれている。
【０００４】
本発明は上記従来技術の不具合に鑑みなされたものであり、遮断器の流体圧駆動装置を小型、簡素化することにある。本発明の他の目的は、遮断器の流体圧駆動装置の信頼性を向上させることにある。
【０００５】
【課題を解決するための手段】
上記目的を達成する本発明の特徴は、接点を開閉する流体圧シリンダと、この流体圧シリンダを開路動作させる開路用制御弁と閉路動作させる閉路用制御弁と、これら制御弁の各々に設けられ各制御弁を駆動する駆動部とを備えた遮断器の流体圧駆動装置において、駆動部と制御弁とを同一軸上に配置したものである。
【０００６】
そしてこの特徴において好ましくは、制御弁はポペット弁であり、駆動部は直動型のソレノイドである。さらに好ましくは、ソレノイドが有するプランジャとポペット弁が有する弁体とは係合部を有し、この係合部間の長さは、弁体側の方がプランジャ側よりも長い。
【０００７】
上記目的を達成する本発明の他の特徴は、接点を開閉する流体圧シリンダと、この流体圧シリンダを開路動作させる開路用制御弁と、閉路動作させる閉路用制御弁と、これら制御弁の各々に設けられ各制御弁を駆動するソレノイドとを備えた遮断器の流体圧駆動装置において、ソレノイドはプランジャを有し、開路動作時及び閉路動作時には開路用制御弁と閉路用制御弁の動作開始時間を異ならせたものである。
【０００８】
そしてこの特徴において、制御弁にプランジャが移動可能な貫通穴を形成し、このプランジャの先端に突起部を形成し、この突起部を制御弁に係合させてもよく、開路用制御弁を駆動するソレノイドと閉路用制御弁を駆動するソレノイドの両プランジャを同軸上に配置し、これらプランジャの突起部とは反対側で両ソレノイドを隣接させてもよい。
【０００９】
また好ましくは、各制御弁にプランジャが移動可能な貫通穴を形成するとともに各プランジャに突起部を形成し、この突起部を制御弁に係合させ、２個のプランジャを同軸上に配置し、両プランジャの突起部間を連結する連結棒を設けるものである。さらに制御弁はポペット弁であるのがよい。また、開路用制御弁が閉じた状態では、開路用制御弁とこの開路用制御弁に係合するプランジャの突起部を接触させ、この開路用制御弁に係合するプランジャと閉路用制御弁が接触した状態では、閉路用制御弁とこの閉路用制御弁に係合するプランジャの突起部との間に隙間を形成させるのがよく、閉路用制御弁が閉じた状態では、閉路用制御弁とこの閉路用制御弁に係合するプランジャの突起部を接触させ、閉路用制御弁に係合するプランジャと閉路用制御弁が接触した状態では、開路用制御弁と開路用制御弁に係合するプランジャの突起部との間に隙間を形成させるのがよい。
【００１０】
【発明の実施の形態】
以下、本発明に係る遮断器の流体圧駆動装置の一実施例を、図１ないし図８に示した縦断面図を用いて説明する。図１は、遮断器の閉路状態の図であり通電中を示す。図２は、開路動作の初期の状態を、図３は、開路動作の中期の状態をそれぞれ示す。図４は、開路状態の図であり、遮断した状態である。図５は、開路動作の後期の状態を、図６は閉路動作の初期の状態を、図７は閉路動作の中期の状態を、図８は閉路動作の後期の状態をそれぞれ示す。
【００１１】
遮断器の流体圧駆動装置３は、接点部７０を開閉する流体圧シリンダ部７２と、この流体圧シリンダ部７２に供給する加圧流体を切換える開路用制御弁２０及び閉路用制御弁４０と、これら制御弁２０、４０を駆動し一対のソレノイド６０、８０を有する駆動部７８とを有している。接点部７０は、流体圧シリンダ部７２に接続する可動接触子２とこの可動接触子２が接触する接点１を有している。
【００１２】
流体圧シリンダ部７２は、可動接触子２が移動するシリンダ空間７が形成されたシリンダ４と、この空間７の内部を移動するピストン５とを有している。ピストン５はコネクティングロッド５ａに取り付けられている。流体圧シリンダ部７２と隣接して、開路用制御弁２０が設けられている。開路用制御弁２０と駆動部７８と閉路用制御弁４０は一直線状に配置されている。
【００１３】
一直線状の中央に配置された駆動部７８では、回路用ソレノイド６０と閉路用ソレノイド８０とが背中合わせに配置されている。各ソレノイド６０、８０の中心部には固定鉄心６３、８３が配置されており、この固定鉄心６３、８３の中心に形成した貫通孔を円板部３４、５４を有する開路用プランジャ３２と閉路用プランジャ５２とが移動可能になっている。固定鉄心６３、８３の外径側には固定鉄心６３、８３に対向してコイル６２、８２が配置されている。回路用プランジャ３２と閉路用プランジャ５２とは、背面側の小径部で当接している。
【００１４】
開路用ソレノイド６０のコイル６２に電流が流れると、固定鉄心６３と開路用プランジャ３２との間に電磁吸引力が発生し、開路用プランジャ３２は空隙６４を狭める。逆に、閉路用ソレノイド８０の電流がコイル８２に流れると、固定鉄心８３と閉路用プランジャ５２との間に電磁吸引力が発生し、閉路用プランジャ５２は空隙８４を狭める。
【００１５】
開路用制御弁２０と閉路用制御弁４０とは、ほぼ対称形になっている。つまり、駆動部７８側に開口した容器構造となっており、段付きのハウジング２８、４８内に、中心部に貫通孔が形成された弁体２１、４１を保持している。弁体２１、４１は駆動部７８側が小径の円筒部２４、４６にその隣側が大径の円筒部の段付き構造ととなっている。小径の円筒部２４、４６の端部は、ハウジング２８、４８に気密に取り付けられる。大径の円筒部の角部はテーパ状に形成されており、ハウジングの段つきの角部である弁座２５、４５に、当接する。弁体２１、４１の中心部に形成された貫通孔３３は段つき孔であり、この段付き部にプランジャ３２、５２の先端に形成した突起部２３、４３が当接する。
【００１６】
開路用制御弁２０の弁体２１の駆動部７８側端面には、プランジャ３２の円板部３４に一端側が接し、他端側がこの弁体２１に接する第２のばね３１が配置されている。一方、閉路用制御弁４０の駆動部７８側端面とハウジング４８とに両端部が接するように、第３のばねが配置されている。さらに、第２のばね３１の外径側であって開路用ハウジング２８と開路用のプランジャ３２とに両端部が接するように、第１のばね６１が配置されている。
【００１７】
シリンダ４の内部の空間７は段付き形状をしており、段付き部７ｂにピストン５の先端部５ｂが嵌合可能になっている。ピストン５で２つに仕切られた空間７の中の可動接触子２側の空間６と開路用制御弁２０のハウジング２８内部とを、配管１０２が連通している。また、空間７の段付き部７ｂと開路用制御弁２０の段付き部２０ａ間には連通孔１０３が、空間７の段付き部７ｂと閉路用制御弁４０の段付き部４０ｂ間には連通孔または連通配管１０１が形成されている。さらに、シリンダ４の空間６と閉路用制御弁の段付き部４０ａとを、配管１００が連通している。
【００１８】
配管１０２の途中には、電動機で駆動される油圧ポンプ８が設けられており、この配管から分岐してアキュムレータ９が取り付けられている。アキュムレータ９には、油圧ポンプ８で加圧された高圧の作動油が貯えられる。油圧ポンプ８の上流で分岐した配管は、低圧のリザーバ１０に連通している。このリザーバ１０には、流体圧駆動装置３から排出された流体を、回収して貯蔵させる。
【００１９】
シリンダ４の空間７の空間６には、油圧ポンプ８で加圧されアキュムレータ９に蓄圧された作動流体の高圧の供給圧が常時作用する。一方、シリンダ４の空間７の他の空間７ａには、開路用制御弁２０と閉路用制御弁４０の弁作用により、高圧の供給圧またはリザーバ１０からの低圧の戻り圧が選択的に付与される。空間６の受圧面積は、コネクティングロッド５ａの断面積（πｄ１２／４）分だけ、空間７ａの受圧面積より小さい。
【００２０】
開路用制御弁２０は、２方弁である。シリンダの空間７ａを低圧の戻り側に連通させて、ピストンを図１において下方に押し下げ、接点部７０を開く。開路用制御弁２０の弁体２１の円筒部２４の直径ｄ３は、弁座２５の直径ｄ４よりも小さい。円筒部２４の背面は大気圧に開放されている。閉路状態では弁体２１に、弁座２５と円筒部２４の面積差｛π（ｄ４２−ｄ３２）／４｝分の供給圧が印加され、開路用制御弁２０を閉状態に保持する。
【００２１】
閉路用制御弁４０はポペット弁型の２方弁である。シリンダの空間７ａを高圧の供給側に連通させて、ピストンを図１において上方に押し上げ、接点部７０を閉じる。弁体４１の円筒部４６の直径ｄ５は、弁座４５の直径ｄ６よりも小さい。
【００２２】
このように構成した本実施例の動作を、以下に説明する。
図１は、閉路状態を示す図である。シリンダの空間６、この空間６に配管１０１で連通する閉路用制御弁４０の２次側空間４０ｂ、この２次側空間４０ｂに連通する１次側空間４０ａ、および開路用制御弁２０の２次側空間２０ａは高圧になっている。開路用制御弁２０の１次側空間２０ｂは、低圧になっている。
【００２３】
つまり、開路用制御弁２０は閉じられており、２次側空間２０ｂは低圧に、１次側空間である段付き部２０ａは高圧に保持されている。閉路用制御弁４０は、２次側空間４０ｂと１次側空間４０ａが連通している。閉路用プランジャ５２は円板部５４の側面がソレノイド８０の固定鉄心８３に接する位置まで、図１中左側に移動している。閉路用プランジャ５２が左側に移動しているので、開路用プランジャ３２も左側に移動している。また、シリンダ４内の空間６、７ａはともに高圧に保持されているが、空間６の受圧面積がコネクティングロッド５ａの断面積（πｄ１２／４）分だけ小さいので、ピストン５は上方に押し上げられている。
【００２４】
この図１の状態の後に開路指令が発せられた様子を、図２に示す。開路指令とともに、開路用ソレノイド６０のコイル６２が励磁される。コイル６２が励磁されて開路用プランジャ３２の円板部３４を吸引する力が発生し、固定鉄心６３との間の空隙６４が縮められる。この開路用プランジャ３２の動きに伴い、閉路用プランジャ５２も右側に移動する。このとき、閉路用プランジャ５２には高圧が印加されており抵抗となる。また、摩擦力も発生するが、開路用プランジャ３２の吸引力はこれらの抵抗に打ち勝つ大きさに設定されている。
【００２５】
閉路用プランジャ５２が右側に移動すると、閉路用制御弁４０の弁体４１は第３のばね５１のばね力により右側に移動する。その結果、閉路用制御弁４０が閉じられる。このとき、開路用プランジャ３２の突起部２３の側面と開路用制御弁２０の弁体２１の段付き部間には、隙間が形成されている。このように隙間を形成すると、開路用プランジャ３２が右方に移動しても、開路用制御弁の弁体２１を開路用プランジャ３２が移動させるのを回避できる。したがって開路用制御弁２０を閉じたままに保持できる。開路用制御弁２０と閉路用制御弁４０の両方が閉じているので、高圧のアキュムレータ９側から低圧のリザーバ１０側への吹き抜けを防止できる。
【００２６】
図２の状態から、開路動作が進んだ様子を図３に示す。開路用プランジャ３２が右方に移動し、突起部２３が開路用制御弁２０の弁体２１に接触する。この状態で、ソレノイド６０の吸引力が、開路用制御弁２０の弁座２５と円筒部２４の断面積差ΔＳ（ΔＳ＝｛π（ｄ４２−ｄ３２）／４｝）に作用する作動流体の圧力による力と摩擦力の和に打ち勝てば、プランジャ３２が弁体２１をさらに右方に移動させる。これにより、開路用制御弁２０が開く。
【００２７】
断面積差ΔＳの式から明らかなように、弁座２５と円筒部２４の径差が小さければ、開路用プランジャ３２の駆動に必要な吸引力が小さくなる。プランジャ３２は、円板部３４の側面が開路用ソレノイド６０の固定鉄心６３に当たるまで、右方に移動する。これに伴い、閉路用プランジャ５２も右方に移動するが、弁体４１はプランジャ５２との係合が外れるので移動せず、閉路用制御弁４０は閉じた状態を保つ。
【００２８】
開路用制御弁２０が開くと、シリンダ４の空間７ａが開路用制御弁２０の段付き部２０ａを介して低圧のリザーバ１０に連通する。空間７ａが低圧になったので、常時高圧が印加される空間６側からピストンに加わる力が空間７ａ側からピストンに加わる力よりも大になり、ピストン５を押し下げる。その結果、可動接触子２と接点との接続が絶たれ、開路動作を開始する。
【００２９】
開路動作が進行し、ピストン５が下死点に達した様子を図４に示す。開路用プランジャ３２は、ソレノイド６０への電流指令が切れても、第１のばね６１のばね力により移動した位置に留まる。これにより、開路用制御弁２０は開いたままとなり、ピストン５は下死点位置に留まる。
【００３０】
上記実施例では、閉路用制御弁２０の弁体２１はプランジャ３２とともに移動するので、ソレノイド６０によってプランジャ３２のストローク範囲までしか弁体２１は移動しない。しかし図５に示すように、弁体２１をさらに右方に移動させることも可能である。
【００３１】
弁体２１には、右側から左側へ油圧の力が作用しており、この油圧力は弁座２５と円筒部２４の断面積差に関係する。一方、連通孔１０３を通って流れた流体が、１次側の空間２０ａから２次側の空間２０ｂに流れ込むことにより流体力が左側から右側に作用する。通常の流体圧駆動装置ではこれらの力を釣り合わせて、弁体２１の最大移動位置を決めている。右側から左側に作用する油圧力を減少させてこの釣り合いを変化させれば、弁体２１はさらに右方に移動する。このことから明らかなように弁体２１をさらに右方に移動させるには、弁座２５と円筒部２４との断面積差を減少させればよい。
【００３２】
このように弁体２１の移動ストロークをプランジャ３２の移動ストロークよりも長くすれば、プランジャ３２の移動ストロークが短くて済む。ピストン５をより速く動作させたり、大径のピストン５を動作させることが可能になる。
【００３３】
ピストン５の開路動作が終ると、作動流体の流れは停止し、弁体２１には流体力が作用しない。流体力がなくなったので、弁体２１は第２のばね３１のばね力により左方に移動する。そして、開路用プランジャ３２の突起部２３に接触すると、移動が停止する。この状態が、図４の閉路状態である。
【００３４】
なお開路状態では、シリンダの空間７ａは、低圧の戻り側に連通している。そのため、万一閉路用制御弁４０に微少な漏れが生じてもピストン５は開路状態を保持する。閉路用制御弁４０は、弁座４５と円筒部４６の断面積差分の作動流体の力により、閉じたままとなる。
【００３５】
図４に示した開路状態において、閉路指令が発せられたときの様子を図６に示す。閉路用ソレノイド８０のコイル８２が励磁され、プランジャ５２の円板部５４と閉路用ソレノイド８０の固定鉄心８３間に吸引力が発生する。この吸引力が第３のばね５１のばね力と摩擦力の和に打ち勝つと、円板部５４と固定鉄心８３間の空隙８４が縮められる。一方、閉路用プランジャ５２に接する開路用プランジャ３２は、開路側プランジャ３２の円板部３４と開路側ソレノイド６０の固定鉄心６３間の空隙６４を広げる。
【００３６】
開路用制御弁２０の弁体２１と開路用プランジャ３２は、第２のばね３１のばね力により一体で動作する。そのため、開路用プランジャ３２が左方に移動すると、開路用制御弁２０の弁体２１も左方に移動し、開路用制御弁２０が閉じる。この状態で、閉路用プランジャ５２の突起部４３と閉路用制御弁４０の弁体４１との間に隙間δが形成されるようにするのがよい。このように隙間δを形成すれば、閉路用制御弁２０と閉路用制御弁４０の両方を閉じた状態とすることができる。高圧のアキュムレータ９側から低圧のリザーバ８側への、圧力の吹き抜けを防止できる。開路用プランジャ３２と閉路用プランジャ５２がさらに左方に移動すると、閉路用制御弁４０の弁体４１と閉路用プランジャ５２の突起部４３が接触する。
【００３７】
図７に、閉路用プランジャ５２の円板部５４の側面が、閉路用ソレノイド８０の固定鉄心８３に接触するまで閉路用プランジャ５２が移動した様子を示す。閉路用ソレノイド８０の吸引力が、閉路用制御弁４０の弁座４５と円筒部４６の断面積差分の作動流体の圧力、第２のばね３１のばね力、第３のばね５１のばね力、および摩擦力に打ち勝って、閉路用プランジャ５２を左方に移動させる。閉路用プランジャ５２と閉路用制御弁４０の弁体４１は一体となって左方に移動し、閉路用制御弁４０を開く。
【００３８】
閉路用制御弁４０の弁座４５と円筒部４６の直径差を小さくすれば、閉路用プランジャ５２を駆動するのに必要な吸引力を小さくすることができる。これにより、シリンダ４の空間６が高圧の供給側に連通し、空間６と空間７の双方が、高圧となる。空間６よりも空間７ａの受圧面積がコネクティングロッド５ａの断面積分だけ大きいので、ピストン５は上方に押し上げられる。ピストン５と可動接触子２は、閉路動作を開始する。
【００３９】
閉路動作が進行すると、ピストン５は上死点まで上昇し、接点１に可動接触子２が接触する。この状態が、図１に示す状態である。閉路用プランジャ５２には高圧の供給圧が印加されているので、閉路用プランジャ５２は閉路用ソレノイド８０の電流指令が切れた後も、吸引位置を保つ。これにより、閉路用制御弁２０は開いたままとなる。
【００４０】
上記実施例では、プランジャ５２が移動しないと閉路用制御弁４０の弁体４１が移動できないようにしているので、弁体４１は、ハウジング４８の底部から距離ｐのところまでしか移動できない。しかし図８に示すように、距離ｐを超えて距離ｑ（＜ｐ）のところまで移動できるようにすることもできる。開路用制御弁２０の場合と同様に、弁体４１に作用する流体力と油圧の釣り合い状況を変化させればよい。これは、弁座４５と円筒部４６の断面積差を減少させることで達成できる。
【００４１】
このように弁体４１の移動ストロークをプランジャ５２の移動ストロークよりも長くすれば、プランジャ５２の移動ストロークが短くて済む。ピストン５をより速く動作させたり、大径のピストン５を動作させることが可能になる。
【００４２】
ピストン５の閉路動作が終ると、流体力がなくなる。弁体４１は第３のばね５１のばね力により右方に移動する。そして、閉路用プランジャ５２の突起部４３に接触して停止する。この閉路用プランジャ５２の移動が停止した状態が、図１に示した状態である。図１に示した閉路状態では、シリンダ４の空間７ａは、高圧の供給側に連通する。シリンダ４の空間６には、常時高圧が印加されている。開路用制御弁２０に微小な漏れが生じても、ピストン５は閉路状態を保つ。開路用制御弁２０は、弁座２５と円筒部２４の断面積差分に作用する供給圧により、閉じたままとなる。
【００４３】
本実施例によれば、電磁ソレノイドで制御弁を駆動し、開路用制御弁と閉路用制御弁とを別々に動作させているので、開路動作または閉路動作中に２個の制御弁が同時に開くのを防止できる。その結果、高圧の供給側から低圧のリザーバ側への圧力の吹き抜けを回避でき、流体圧駆動装置を安定して動作させることができる。また、シリンダ操作室の一方の空間には常時高圧を印加し、他方の空間を開路時には低圧のリザーバに、閉路時には高圧の供給側に連通させているので、開路状態または閉路状態を保持できる。
【００４４】
本発明の他の実施例を、図９に示す。図９は、上記実施例の図１に対応する図である。本実施例は、上記実施例と駆動部の位置が相違している。上記実施例では、一対の駆動部を背面側で接続し、閉路用制御弁４０と開路用制御弁２０間に配置していた。本実施例では、開路用制御弁２０と閉路用制御弁４０とを隣り合わせ、その外側に駆動部７３、７４をそれぞれ設けている。なお、開路用制御弁２０と閉路用制御弁２０とが隣り合わせになったので、開路用プランジャ３２の突起部２３と閉路用プランジャ５２の突起部４３間を連結棒９０が連結している。
【００４５】
本実施例によれば、開路用プランジャ３２と閉路用プランジャ５２が一体で動くので、上記実施例とすべて同じ動作を行える。また、開路用制御弁と閉路用制御弁を駆動部よりも内側に配置したので、各配管の管路長を短くすることができ、より小型化できる。開路用プランジャと閉路用プランジャを直接外部から手動操作可能であり、電源切断時等の非常事態にも対応できる。
【００４６】
【発明の効果】
以上述べた本発明によれば、ピストンを駆動する制御弁を直接ソレノイドで駆動したので、高圧の作動流体が低圧側へ吹き抜けるのを防止でき、遮断器の流体圧駆動装置の信頼性が向上するとともに小型化が可能になる。
【図面の簡単な説明】
【図１】本発明に係る遮断器の一実施例の縦断面図。
【図２】図１に示した遮断器の開路動作を説明する縦断面図。
【図３】図１に示した遮断器の開路動作を説明する縦断面図。
【図４】図１に示した遮断器の開路状態を説明する縦断面図。
【図５】図１に示した遮断器の変形例の縦断面図。
【図６】図１に示した遮断器の閉路動作を説明する縦断面図。
【図７】図１に示した遮断器の閉路動作を説明する縦断面図。
【図８】図１に示した遮断器の変形例の縦断面図。
【図９】本発明に係る遮断器の他の実施例の縦断面図であり、図１に対応する図。
【符号の説明】
１…接点、２…可動接触子、３…流体圧駆動装置、４…シリンダ、５…ピストン、６…空間、７…空間、７ａ…段付き部（空間）、８…流体圧源、９…アキュムレータ、１０…リザーバ、２０…閉路用制御弁、２０ａ…段付き部、２１…弁体、２３…突起部、２４…円筒部、２５…弁座、３１…第２のばね、３２…開路用プランジャ、４０…閉路用制御弁、４０ａ…段付き部、４１…弁体、４３…突起部、４４…管路、４５…弁座、４６…円筒部、５１…第３のばね、５２…閉路用プランジャ、５３…貫通穴、６０…開路用ソレノイド、６１…第１のばね、６２…コイル、６３…固定鉄心、６４…開路用プランジャ、７０…接点部、７２…流体圧シリンダ部、７８…駆動部、８０…閉路用ソレノイド、８２…コイル、８３…固定鉄心、８４…空隙、９０…連結棒、１００…配管、１０１…連通配管または連通孔、１０２…配管、１０３…連通孔。
【図１】
2004247179.tif 000003
【図２】
2004247179.tif 000004
【図３】
2004247179.tif 000005
【図４】
2004247179.tif 000006
【図５】
2004247179.tif 000007
【図６】
2004247179.tif 000008
【図７】
2004247179.tif 000009
【図８】
2004247179.tif 000010
【図９】
2004247179.tif 000011